(57)【要約】【課題】データシグナリングの損失がないビームフォーミングの再構成を提供する。【解決手段】ビームフォーミング構成は、シンボル期間に先行するサイクリックプレフィックスの間に変更される。たとえば、送信機のためのビームフォーミング構成は、高速フーリエ変換(FFT)ウィンドウに先行する直交周波数分割多重(OFDM)サイクリックプレフィックスの間に変更され得る。受信機において、サイクリックプレフィックスは、FFTウィンドウの間に受信されたチップに基づいて復元される。このようにすると、送信機がそのビームフォーミングを再構成することに起因するデータシグナリングの損失がない。【選択図】図２
2018207538.tif 000002
【特許請求の範囲】
【請求項１】
第1のシンボルと第2のシンボルとを含む一連の連続したシンボルを受信するように構成される、受信機と、
処理回路であって、
前記第1のシンボルの第1のタイプのサイクリックプレフィックスに基づいて前記第1のシンボルを処理することと、
前記第2のシンボルの第2のタイプのサイクリックプレフィックスに基づいて前記第2のシンボルを処理することであって、前記第2のタイプのサイクリックプレフィックスは、前記第1のタイプのサイクリックプレフィックスとは異なる、こととを行うように構成される、処理回路とを含む、通信のための装置。
【請求項２】
前記第1のタイプのサイクリックプレフィックスのための第1のサイクリックプレフィックス期間は、前記第1のシンボルからの情報を含まず、
前記第2のタイプのサイクリックプレフィックスのための第2のサイクリックプレフィックス期間は、前記第2のシンボルからの情報を含む、請求項1に記載の装置。
【請求項３】
前記第1のサイクリックプレフィックス期間は、前記一連の連続したシンボルの先頭または前記一連の連続したシンボルの末尾にある、請求項2に記載の装置。
【請求項４】
前記第1のサイクリックプレフィックス期間は、通信時間期間の先頭または前記通信時間期間の末尾にある、請求項2に記載の装置。
【請求項５】
前記通信時間期間は、前記一連の連続したシンボルのためのフレームを含む、請求項4に記載の装置。
【請求項６】
前記第1のシンボルの前記処理は、
前記第1のサイクリックプレフィックス期間のためのサンプルを再構成することと、
前記第1のシンボルのサンプルと前記再構成されたサンプルとを処理することとを含む、請求項2に記載の装置。
【請求項７】
前記第2のシンボルの前記処理は、
前記第2のシンボルのサンプルと前記第2のサイクリックプレフィックス期間のサンプルとを処理することを含む、請求項6に記載の装置。
【請求項８】
前記第1のタイプのサイクリックプレフィックスは、ゼロサイクリックプレフィックス(ゼロCP)を含み、
前記第2のタイプのサイクリックプレフィックスは、通常サイクリックプレフィックス(通常CP)を含む、請求項1に記載の装置。
【請求項９】
前記処理回路は、
前記第1のシンボルの前記第1のタイプのサイクリックプレフィックスを判定することと、
前記第2のシンボルの前記第2のタイプのサイクリックプレフィックスを判定することとを行うようにさらに構成される、請求項1に記載の装置。
【請求項１０】
前記受信機は、メッセージを受信するようにさらに構成され、
前記第1のタイプのサイクリックプレフィックスの前記判定および前記第2のタイプのサイクリックプレフィックスの前記判定は、前記メッセージに基づく、請求項9に記載の装置。
【請求項１１】
前記第1のタイプのサイクリックプレフィックスの前記判定および前記第2のタイプのサイクリックプレフィックスの前記判定は、前記一連の連続したシンボルのためのフレームの構造に基づく、請求項9に記載の装置。
【請求項１２】
前記第1のタイプのサイクリックプレフィックスの前記判定は、前記第1のシンボルのタイミングに基づき、
前記第2のタイプのサイクリックプレフィックスの前記判定は、前記第2のシンボルのタイミングに基づく、請求項9に記載の装置。
【請求項１３】
前記第1のタイプのサイクリックプレフィックスの前記判定は、境界に基づく、請求項9に記載の装置。
【請求項１４】
前記境界は、前記一連の連続したシンボルのためのフレームの境界を含む、請求項13に記載の装置。
【請求項１５】
前記境界は、ビーコンの境界を含む、請求項13に記載の装置。
【請求項１６】
前記装置は、メモリデバイスをさらに含み、
前記第1のタイプのサイクリックプレフィックスの前記判定および前記第2のタイプのサイクリックプレフィックスの前記判定は、前記メモリデバイスに記憶された設定に基づく、請求項9に記載の装置。
【請求項１７】
前記一連の連続したシンボルは、通信フレームの間に受信される、請求項1に記載の装置。
【請求項１８】
前記第1のタイプのサイクリックプレフィックスのための第1のサイクリックプレフィックス期間は、前記第1のシンボルに先行する、または、前記第1のシンボルの後に来、
前記第2のタイプのサイクリックプレフィックスのための第2のサイクリックプレフィックス期間は、前記第2のシンボルに先行する、または、前記第2のシンボルの後に来る、請求項1に記載の装置。
【請求項１９】
前記処理回路は、
前記第1のタイプのサイクリックプレフィックスのためのサイクリックプレフィックス期間の間に第1のビームフォーミング構成から第2のビームフォーミング構成に変更するようにさらに構成される、請求項1に記載の装置。
【請求項２０】
前記処理回路は、第1のデバイスとの通信から第2のデバイスとの通信への切替、チャネル状態の変更、前記装置の移動、またはその任意の組み合わせに起因して、前記第1のビームフォーミング構成から前記第2のビームフォーミング構成に変更するようにさらに構成される、請求項19に記載の装置。
【請求項２１】
装置のための通信の方法であって、
第1のシンボルと第2のシンボルとを含む一連の連続したシンボルを受信するステップと、
前記第1のシンボルの第1のタイプのサイクリックプレフィックスに基づいて前記第1のシンボルを処理するステップと、
前記第2のシンボルの第2のタイプのサイクリックプレフィックスに基づいて前記第2のシンボルを処理するステップであって、前記第2のタイプのサイクリックプレフィックスは、前記第1のタイプのサイクリックプレフィックスとは異なる、ステップとを含む、方法。
【請求項２２】
前記第1のタイプのサイクリックプレフィックスのための第1のサイクリックプレフィックス期間は、前記第1のシンボルからの情報を含まず、
前記第2のタイプのサイクリックプレフィックスのための第2のサイクリックプレフィックス期間は、前記第2のシンボルからの情報を含む、請求項21に記載の方法。
【請求項２３】
前記第1のサイクリックプレフィックス期間は、前記一連の連続したシンボルの先頭または前記一連の連続したシンボルの末尾にある、請求項22に記載の方法。
【請求項２４】
前記第1のシンボルの前記処理は、
前記第1のサイクリックプレフィックス期間のためのサンプルを再構成するステップと、
前記第1のシンボルのサンプルと前記再構成されたサンプルとを処理するステップとを含む、請求項22に記載の方法。
【請求項２５】
前記第2のシンボルの前記処理は、
前記第2のシンボルのサンプルと前記第2のサイクリックプレフィックス期間のサンプルとを処理するステップを含む、請求項24に記載の方法。
【請求項２６】
前記第1のシンボルの前記第1のタイプのサイクリックプレフィックスを判定するステップと、
前記第2のシンボルの前記第2のタイプのサイクリックプレフィックスを判定するステップとをさらに含む、請求項21に記載の方法。
【請求項２７】
前記処理は、メッセージを受信するステップをさらに含み、
前記第1のタイプのサイクリックプレフィックスの前記判定および前記第2のタイプのサイクリックプレフィックスの前記判定は、前記メッセージに基づく、請求項26に記載の方法。
【請求項２８】
前記一連の連続したシンボルは、通信フレームの間に受信される、請求項21に記載の方法。
【請求項２９】
前記第1のタイプのサイクリックプレフィックスのためのサイクリックプレフィックス期間の間に第1のビームフォーミング構成から第2のビームフォーミング構成に変更するステップをさらに含む、請求項21に記載の方法。
【請求項３０】
前記第1のビームフォーミング構成から前記第2のビームフォーミング構成に変更するステップは、第1のデバイスとの通信から第2のデバイスとの通信への切替、チャネル状態の変更、前記装置の移動、またはその任意の組み合わせに起因する、請求項29に記載の方法。
【請求項３１】
第1のシンボルと第2のシンボルとを含む一連の連続したシンボルを受信するための手段と、
前記第1のシンボルの第1のタイプのサイクリックプレフィックスに基づいて前記第1のシンボルを処理するための手段と、
前記第2のシンボルの第2のタイプのサイクリックプレフィックスに基づいて前記第2のシンボルを処理するための手段であって、前記第2のタイプのサイクリックプレフィックスは、前記第1のタイプのサイクリックプレフィックスとは異なる、手段とを含む、通信のための装置。
【請求項３２】
前記第1のタイプのサイクリックプレフィックスのための第1のサイクリックプレフィックス期間は、前記第1のシンボルからの情報を含まず、
前記第2のタイプのサイクリックプレフィックスのための第2のサイクリックプレフィックス期間は、前記第2のシンボルからの情報を含む、請求項31に記載の装置。
【請求項３３】
前記第1のシンボルの前記処理は、
前記第1のサイクリックプレフィックス期間のためのサンプルを再構成することと、
前記第1のシンボルのサンプルと前記再構成されたサンプルとを処理することとを含む、請求項32に記載の装置。
【請求項３４】
前記第2のシンボルの前記処理は、
前記第2のシンボルのサンプルと前記第2のサイクリックプレフィックス期間のサンプルとを処理することを含む、請求項33に記載の装置。
【請求項３５】
前記第1のシンボルの前記第1のタイプのサイクリックプレフィックスと前記第2のシンボルの前記第2のタイプのサイクリックプレフィックスとを判定するための手段をさらに含む、請求項31に記載の装置。
【請求項３６】
前記受信するための手段は、メッセージを受信するように構成され、
前記第1のタイプのサイクリックプレフィックスの前記判定および前記第2のタイプのサイクリックプレフィックスの前記判定は、前記メッセージに基づく、請求項35に記載の装置。
【請求項３７】
前記第1のタイプのサイクリックプレフィックスのためのサイクリックプレフィックス期間の間に第1のビームフォーミング構成から第2のビームフォーミング構成に変更するための手段をさらに含む、請求項31に記載の装置。
【請求項３８】
コンピュータ実行可能コードを記憶するコンピュータ可読記憶媒体であって、前記コンピュータ実行可能コードは、
第1のシンボルと第2のシンボルとを含む一連の連続したシンボルを受信することと、
前記第1のシンボルの第1のタイプのサイクリックプレフィックスに基づいて前記第1のシンボルを処理することと、
前記第2のシンボルの第2のタイプのサイクリックプレフィックスに基づいて前記第2のシンボルを処理することであって、前記第2のタイプのサイクリックプレフィックスは、前記第1のタイプのサイクリックプレフィックスとは異なる、こととを行うコードを含む、コンピュータ可読記憶媒体。
【請求項３９】
処理回路であって、
第1のタイプのサイクリックプレフィックスを有する第1のシンボルを生成することと、
第2のタイプのサイクリックプレフィックスを有する第2のシンボルを生成することであって、前記第2のタイプのサイクリックプレフィックスは、前記第1のタイプのサイクリックプレフィックスとは異なる、こととを行うように構成される、処理回路と、
前記第1のシンボルと前記第2のシンボルとを含む一連の連続したシンボルを送信するように構成される、送信機とを含む、通信のための装置。
【請求項４０】
前記第1のシンボルの前記生成は、前記第1のタイプのサイクリックプレフィックスのための第1のサイクリックプレフィックス期間に前記第1のシンボルからの情報を含ませないことを含み、
前記第2のシンボルの前記生成は、前記第2のタイプのサイクリックプレフィックスのための第2のサイクリックプレフィックス期間に前記第2のシンボルからの情報を含ませることを含む、請求項39に記載の装置。
【請求項４１】
前記処理回路は、
前記一連の連続したシンボルの先頭または前記一連の連続したシンボルの末尾に前記第1のサイクリックプレフィックス期間を配置するようにさらに構成される、請求項40に記載の装置。
【請求項４２】
前記処理回路は、
前記一連の連続したシンボルのためのフレームの先頭または前記一連の連続したシンボルのための前記フレームの末尾に前記第1のサイクリックプレフィックス期間を配置するようにさらに構成される、請求項40に記載の装置。
【請求項４３】
前記第1のサイクリックプレフィックス期間は、前記第1のシンボルに先行する、または、前記第1のシンボルの後に来、
前記第2のサイクリックプレフィックス期間は、前記第2のシンボルに先行する、または、前記第2のシンボルの後に来る、請求項40に記載の装置。
【請求項４４】
前記送信機は、メッセージを送信するようにさらに構成され、
前記メッセージは、前記第1のタイプのサイクリックプレフィックスのタイミングおよび前記第2のタイプのサイクリックプレフィックスのタイミングを示す、請求項39に記載の装置。
【請求項４５】
前記送信機は、メッセージを送信するようにさらに構成され、
前記メッセージは、前記第1のタイプのサイクリックプレフィックスおよび前記第2のタイプのサイクリックプレフィックスを示す、請求項39に記載の装置。
【請求項４６】
装置のための通信の方法であって、
第1のタイプのサイクリックプレフィックスを有する第1のシンボルを生成するステップと、
第2のタイプのサイクリックプレフィックスを有する第2のシンボルを生成するステップであって、前記第2のタイプのサイクリックプレフィックスは、前記第1のタイプのサイクリックプレフィックスとは異なる、ステップと、
前記第1のシンボルと前記第2のシンボルとを含む一連の連続したシンボルを送信するステップとを含む、方法。
【請求項４７】
前記第1のシンボルの前記生成は、前記第1のタイプのサイクリックプレフィックスのための第1のサイクリックプレフィックス期間に前記第1のシンボルからの情報を含ませないことを含み、
前記第2のシンボルの前記生成は、前記第2のタイプのサイクリックプレフィックスのための第2のサイクリックプレフィックス期間に前記第2のシンボルからの情報を含ませることを含む、請求項46に記載の方法。
【請求項４８】
前記一連の連続したシンボルの先頭または前記一連の連続したシンボルの末尾に前記第1のサイクリックプレフィックス期間を配置するステップをさらに含む、請求項47に記載の方法。
【請求項４９】
前記一連の連続したシンボルのためのフレームの先頭または前記一連の連続したシンボルのための前記フレームの末尾に前記第1のサイクリックプレフィックス期間を配置するステップとさらに含む、請求項47に記載の方法。
【請求項５０】
前記第1のサイクリックプレフィックス期間は、前記第1のシンボルに先行する、または、前記第1のシンボルの後に来、
前記第2のサイクリックプレフィックス期間は、前記第2のシンボルに先行する、または、前記第2のシンボルの後に来る、請求項47に記載の方法。
【請求項５１】
前記方法は、メッセージを送信するステップをさらに含み、
前記メッセージは、前記第1のタイプのサイクリックプレフィックスのタイミングおよび前記第2のタイプのサイクリックプレフィックスのタイミングを示す、請求項46に記載の方法。
【請求項５２】
前記方法は、メッセージを送信するステップをさらに含み、
前記メッセージは、前記第1のタイプのサイクリックプレフィックスおよび前記第2のタイプのサイクリックプレフィックスを示す、請求項46に記載の方法。
【請求項５３】
第1のタイプのサイクリックプレフィックスを有する第1のシンボルを生成するための手段と、
第2のタイプのサイクリックプレフィックスを有する第2のシンボルを生成するための手段であって、前記第2のタイプのサイクリックプレフィックスは、前記第1のタイプのサイクリックプレフィックスとは異なる、手段と
前記第1のシンボルと前記第2のシンボルとを含む一連の連続したシンボルを送信するための手段とを含む、通信のための装置。
【請求項５４】
前記第1のシンボルの前記生成は、前記第1のタイプのサイクリックプレフィックスのための第1のサイクリックプレフィックス期間に前記第1のシンボルからの情報を含ませないことを含み、
前記第2のシンボルの前記生成は、前記第2のタイプのサイクリックプレフィックスのための第2のサイクリックプレフィックス期間に前記第2のシンボルからの情報を含ませることを含む、請求項53に記載の装置。
【請求項５５】
前記第1のシンボルを生成するための手段は、前記一連の連続したシンボルの先頭または前記一連の連続したシンボルの末尾に前記第1のサイクリックプレフィックス期間を配置するように構成される、請求項54に記載の装置。
【請求項５６】
前記第1のシンボルを生成するための手段は、前記一連の連続したシンボルのためのフレームの先頭または前記一連の連続したシンボルのための前記フレームの末尾に前記第1のサイクリックプレフィックス期間を配置するように構成される、請求項54に記載の装置。
【請求項５７】
前記送信するための手段は、メッセージを送信するように構成され、
前記メッセージは、前記第1のタイプのサイクリックプレフィックスのタイミングおよび前記第2のタイプのサイクリックプレフィックスのタイミングを示す、請求項53に記載の装置。
【請求項５８】
前記送信するための手段は、メッセージを送信するように構成され、
前記メッセージは、前記第1のタイプのサイクリックプレフィックスおよび前記第2のタイプのサイクリックプレフィックスを示す、請求項53に記載の装置。
【請求項５９】
コンピュータ実行可能コードを記憶するコンピュータ可読記憶媒体であって、前記コンピュータ実行可能コードは、
第1のタイプのサイクリックプレフィックスを有する第1のシンボルを生成することと、
第2のタイプのサイクリックプレフィックスを有する第2のシンボルを生成することであって、前記第2のタイプのサイクリックプレフィックスは、前記第1のタイプのサイクリックプレフィックスとは異なる、ことと、
前記第1のシンボルと前記第2のシンボルとを含む一連の連続したシンボルを送信することとを行うコードを含む、コンピュータ可読記憶媒体。
【発明の詳細な説明】
【技術分野】
【０００１】
関連出願の相互参照
本出願は、その内容全体が参照により本明細書に組み込まれる、2014年10月1日に米国特許庁に出願された仮出願第62/058,513号および2015年4月22日に米国特許庁に出願された非仮出願第14/693,624号の優先権および利益を主張する。
【０００２】
本開示の態様は、一般にワイヤレス通信に関し、より詳細には、限定はしないが、ビームフォーミングを構成することに関する。
【背景技術】
【０００３】
典型的な多元接続ワイヤレス通信システムでは、いくつかのデバイスは基地局と通信する。いくつかのシナリオでは、基地局は複数の送信アンテナおよび複数の受信アンテナを装備している。一例は、複数のアンテナが(たとえば、30GHz、60GHzなどの範囲内で)ビームフォーミングに使用されるミリ波(mmW)システムである。そのような基地局は、時分割多重(TDM)方式または時分割複信(TDD)方式でデバイスと通信し得る。すなわち、基地局は、第1の時間間隔において第1のデバイスに送信し、次いで、第2の時間間隔において続いて第2のデバイスに送信する。しばしば、これらの2つのデバイスに対するビームフォーミング方向は異なる。結果として、基地局は、そのビームフォーミング設定を第1の時間間隔から第2の時間間隔に変更し得る。現実世界の実装形態の制約により、ビームフォーミング設定を変更するための時間はゼロではない。
【０００４】
図1は、基地局102が異なるビームフォーミング方向を介して第1のデバイス104および第2のデバイス106と通信する、通信システム100を示す。シグナリング図の118に示す第1の時間間隔108の間、基地局102は、第1のビームフォーミング方向110を介して第1のデバイス104と通信する。シグナリング図の118に示す第2の時間間隔112の間、基地局102は、第2のビームフォーミング方向114を介して第2のデバイス106と通信する。ビームフォーミング設定116を変更するための図示のギャップは、通信システム100におけるオーバーヘッドとなる。アナログビームフォーミングが用いられるときは特に、通信システム100の性能を改善するために、このオーバーヘッドを軽減することが望まれる。
【発明の概要】
【課題を解決するための手段】
【０００５】
以下では、本開示のいくつかの態様の基本的な理解を与えるために、そのような態様の簡略化された概要を提示する。この概要は、本開示のすべての企図された特徴の包括的な概観ではなく、本開示のすべての態様の主要または重要な要素を識別するものでもなく、本開示のいずれかまたはすべての態様の範囲を定めるものでもない。その唯一の目的は、後で提示されるより詳細な説明の前置きとして、本開示のいくつかの態様の様々な概念を簡略化された形態で提示することである。
【０００６】
本開示は、いくつかの態様では、シンボル期間に先行するサイクリックプレフィックスの間にビームフォーミング構成を変更することに関する。たとえば、送信機のためのビームフォーミング構成は、高速フーリエ変換(FFT)ウィンドウに先行する直交周波数分割多重(OFDM)サイクリックプレフィックスの間に変更され得る。受信機において、サイクリックプレフィックスは、FFTウィンドウの間に受信されたチップ(サンプル)に基づいて復元される。このようにすると、送信機がそのビームフォーミングを再構成することに起因するデータシグナリングの損失がない。
【０００７】
一態様では、本開示は、第1のシンボル期間の間に第1のセットのサンプルを送信するステップであって、第1のセットのサンプルの送信において第1のビームフォーミング構成が使用される、ステップと、サンプルが送信されない第1のサイクリックプレフィックス期間の間に第1のビームフォーミング構成から第2のビームフォーミング構成に変更するステップであって、第2のビームフォーミング構成が第1のビームフォーミング構成とは異なる、ステップと、第1のサイクリックプレフィックス期間の後に来る第2のシンボル期間の間に第2のセットのサンプルを送信するステップであって、第2のセットのサンプルの送信において第2のビームフォーミング構成が使用される、ステップとを含む、通信の方法を提供する。
【０００８】
本開示の別の態様は、通信のために構成された装置を提供する。装置は、第1のシンボル期間の間に第1のセットのサンプルを送信するように構成された、送信するための手段であって、第1のセットのサンプルの送信において第1のビームフォーミング構成が使用される、手段と、サンプルが送信されない第1のサイクリックプレフィックス期間の間に第1のビームフォーミング構成から第2のビームフォーミング構成に変更するための手段であって、第2のビームフォーミング構成が第1のビームフォーミング構成とは異なる、手段とを含み、送信するための手段が、第1のサイクリックプレフィックス期間の後に来る第2のシンボル期間の間に第2のセットのサンプルを送信するようにさらに構成され、第2のセットのサンプルの送信において第2のビームフォーミング構成が使用される。
【０００９】
本開示の別の態様は、第1のシンボル期間の間に第1のセットのサンプルを送信するように構成された送信機であって、第1のセットのサンプルの送信において第1のビームフォーミング構成が使用される、送信機と、サンプルが送信されない第1のサイクリックプレフィックス期間の間に第1のビームフォーミング構成から第2のビームフォーミング構成に変更するように構成された処理回路であって、第2のビームフォーミング構成が第1のビームフォーミング構成とは異なる、処理回路とを含み、送信機が、第1のサイクリックプレフィックス期間の後に来る第2のシンボル期間の間に第2のセットのサンプルを送信するようにさらに構成され、第2のセットのサンプルの送信において第2のビームフォーミング構成が使用される、通信のための装置を提供する。
【００１０】
本開示の別の態様は、第1のシンボル期間の間に第1のセットのサンプルを送信することであって、第1のセットのサンプルの送信において第1のビームフォーミング構成が使用される、送信することと、サンプルが送信されない第1のサイクリックプレフィックス期間の間に第1のビームフォーミング構成から第2のビームフォーミング構成に変更することであって、第2のビームフォーミング構成が第1のビームフォーミング構成とは異なる、変更することと、第1のサイクリックプレフィックス期間の後に来る第2のシンボル期間の間に第2のセットのサンプルを送信することであって、第2のセットのサンプルの送信において第2のビームフォーミング構成が使用される、送信することとを行うためのコードを含む、コンピュータ実行可能コードを記憶する非一時的コンピュータ可読媒体を提供する。
【００１１】
一態様では、本開示は、装置において、第1のタイプのサイクリックプレフィックスに関連付けられた第1の時間間隔を指定するステップと、装置において、第1の時間間隔の後に第1のセットのサンプルを送信するステップと、装置において、第1のタイプのサイクリックプレフィックスとは異なる第2のタイプのサイクリックプレフィックスに関連付けられた第2の時間間隔を指定するステップと、装置において、第2の時間間隔の後に第2のセットのサンプルを受信するステップとを含む、通信の方法を提供する。
【００１２】
本開示の別の態様は、通信のために構成された装置を提供する。装置は、第1のタイプのサイクリックプレフィックスに関連付けられた第1の時間間隔を指定するように構成された、指定するための手段と、第1の時間間隔の後に第1のセットのサンプルを送信するための手段とを備え、指定するための手段が、第1のタイプのサイクリックプレフィックスとは異なる第2のタイプのサイクリックプレフィックスに関連付けられた第2の時間間隔を指定するようにさらに構成され、装置はさらに第2の時間間隔の後に第2のセットのサンプルを受信するための手段を含む。
【００１３】
本開示の別の態様は、第1のタイプのサイクリックプレフィックスに関連付けられた第1の時間間隔を指定するように構成された処理回路と、第1の時間間隔の後に第1のセットのサンプルを送信するように構成された送信機とを備える通信のための装置であって、処理回路は、第1のタイプのサイクリックプレフィックスとは異なる第2のタイプのサイクリックプレフィックスに関連付けられた第2の時間間隔を指定するようにさらに構成され、通信のための装置はさらに第2の時間間隔の後に第2のセットのサンプルを受信するように構成された受信機を含む、通信のための装置を提供する。
【００１４】
本開示の別の態様は、装置において、第1のタイプのサイクリックプレフィックスに関連付けられた第1の時間間隔を指定し、装置において、第1の時間間隔の後に第1のセットのサンプルを送信し、装置において、第1のタイプのサイクリックプレフィックスとは異なる第2のタイプのサイクリックプレフィックスに関連付けられた第2の時間間隔を指定し、装置において、第2の時間間隔の後に第2のセットのサンプルを受信するためのコードを含む、コンピュータ実行可能コードを記憶する非一時的コンピュータ可読媒体を提供する。
【００１５】
一態様では、本開示は、装置によって、第1のタイプのサイクリックプレフィックスに関連付けられた第1の時間間隔を指定するステップと、装置によって、第1の時間間隔の後に第1のセットのサンプルを通信するステップと、装置によって、第1のセットのサンプルの後に第2のタイプのサイクリックプレフィックスに関連付けられた第2の時間間隔を指定するステップと、装置によって、第2の時間間隔の後に第2のセットのサンプルを通信するステップとを含む、通信の方法を提供する。
【００１６】
本開示の別の態様は、通信のために構成された装置を提供する。装置は、第1のタイプのサイクリックプレフィックスに関連付けられた第1の時間間隔を指定するように構成された、指定するための手段と、第1の時間間隔の後に第1のセットのサンプルを通信するように構成された、通信するための手段とを含み、指定するための手段が、第1のセットのサンプルの後に第2のタイプのサイクリックプレフィックスに関連付けられた第2の時間間隔を指定するようにさらに構成され、通信するための手段が、第2の時間間隔の後に第2のセットのサンプルを通信するようにさらに構成される。
【００１７】
本開示の別の態様は、第1のタイプのサイクリックプレフィックスに関連付けられた第1の時間間隔を指定するように構成された処理回路と、第1の時間間隔の後に第1のセットのサンプルを通信するように構成された通信インターフェースとを含み、処理回路が、第1のセットのサンプルの後に第2のタイプのサイクリックプレフィックスに関連付けられた第2の時間間隔を指定するようにさらに構成され、通信インターフェースが、第2の時間間隔の後に第2のセットのサンプルを通信するようにさらに構成される、通信のための装置を提供する。
【００１８】
本開示の別の態様は、装置によって、第1のタイプのサイクリックプレフィックスに関連付けられた第1の時間間隔を指定し、装置によって、第1の時間間隔の後に第1のセットのサンプルを通信し、装置によって、第1のセットのサンプルの後に第2のタイプのサイクリックプレフィックスに関連付けられた第2の時間間隔を指定し、装置によって、第2の時間間隔の後に第2のセットのサンプルを通信するためのコードを含む、コンピュータ実行可能コードを記憶する非一時的コンピュータ可読媒体を提供する。
【００１９】
一態様では、本開示は、サイクリックプレフィックス期間に関連付けられたシンボル期間に先行するサイクリックプレフィックス期間の間にビームフォーミング構成を変更するステップと、シンボル期間の間にサンプルを通信するステップであって、通信するステップが、変更されたビームフォーミング構成を使用する、ステップとを含む、通信のための方法を提供する。
【００２０】
本開示の別の態様は、通信のために構成された装置を提供する。装置は、サイクリックプレフィックス期間に関連付けられたシンボル期間に先行するサイクリックプレフィックス期間の間にビームフォーミング構成を変更するための手段と、シンボル期間の間にサンプルを通信するための手段であって、通信することが、変更されたビームフォーミング構成を使用する、手段とを含む。
【００２１】
本開示の別の態様は、メモリデバイスと、メモリデバイスに結合された処理回路とを含む、通信のための装置を提供する。処理回路は、サイクリックプレフィックス期間に関連付けられたシンボル期間に先行するサイクリックプレフィックス期間の間にビームフォーミング構成を変更することと、シンボル期間の間にサンプルを通信することであって、通信することが、変更されたビームフォーミング構成を使用する、通信することとを行うように構成される。
【００２２】
本開示の別の態様は、サイクリックプレフィックス期間に関連付けられたシンボル期間に先行するサイクリックプレフィックス期間の間にビームフォーミング構成を変更することと、シンボル期間の間にサンプルを通信することであって、通信することが、変更されたビームフォーミング構成を使用する、通信することとを行うためのコードを含む、コンピュータ実行可能コードを記憶する非一時的コンピュータ可読媒体を提供する。
【００２３】
本開示のこれらの態様および他の態様は、以下の詳細な説明を検討すれば、より十分に理解されよう。本開示の他の態様、特徴、および実装形態は、添付の図とともに本開示の特定の実装形態の以下の説明を検討すれば、当業者に明らかになろう。本開示の特徴について、いくつかの実装形態および図に関して以下で説明する場合があるが、本開示のすべての実装形態は、本明細書で説明する有利な特徴のうちの1つまたは複数を含むことができる。言い換えれば、1つまたは複数の実装形態について、いくつかの有利な特徴を有するものとして説明する場合があるが、そのような特徴のうちの1つまたは複数はまた、本明細書で説明する本開示の様々な実装形態に従って使用され得る。同様に、いくつかの実装形態について、デバイス、システム、または方法の実装形態として以下で説明する場合があるが、そのような実装形態は、様々なデバイス、システム、および方法において実装され得ることを理解されたい。
【図面の簡単な説明】
【００２４】
【図１】ビームフォーミングを用いる通信システムのいくつかの態様を示す図である。
【図２】本開示のいくつかの態様による、サイクリックプレフィックスの間にビームフォーミング設定を変更する一例を示す図である。
【図３】本開示のいくつかの態様による、異なるサイクリックプレフィックスタイプ間で切り替える一例を示す図である。
【図４】サイクリックプレフィックスを用いる波形の一例を示す図である。
【図５】ゼロサイクリックプレフィックスを用いる波形の一例を示す図である。
【図６】ゼロサイクリックプレフィックスを用いる波形の別の例を示す図である。
【図７】本開示のいくつかの態様による、サイクリックプレフィックスの間に送信ビームフォーミング設定を変更する一例を示す図である。
【図８】本開示のいくつかの態様による、受信ビームフォーミング設定を変更する一例を示す図である。
【図９】本開示のいくつかの態様による、送信および受信に異なるサイクリックプレフィックスタイプを使用する一例を示す図である。
【図１０】本開示のいくつかの態様による、通信に異なるサイクリックプレフィックスタイプを使用する一例を示す図である。
【図１１】本開示のいくつかの態様による、サイクリックプレフィックスタイプを切り替えるためのプロセスの一例を示す図である。
【図１２】本開示のいくつかの態様による、サイクリックプレフィックスタイプを切り替えるためのプロセスの別の例を示す図である。
【図１３】本開示のいくつかの態様による、開示する通信のためのプロセスのうちの1つまたは複数を実行することができる装置(たとえば、電子デバイス)のための例示的なハードウェア実装形態のブロック図である。
【図１４】本開示のいくつかの態様による、送信ビームフォーミングプロセスの一例を示す図である。
【図１５】本開示のいくつかの態様による、受信ビームフォーミングプロセスの一例を示す図である。
【図１６】本開示のいくつかの態様による、異なるタイプのサイクリックプレフィックスを使用する送信および受信の一例を示す図である。
【図１７】本開示のいくつかの態様による、異なるタイプのサイクリックプレフィックスを使用する通信の一例を示す図である。
【図１８】本開示のいくつかの態様による、ビームフォーミング構成を変更することを伴う通信の一例を示す図である。
【図１９】本開示のいくつかの態様による、異なるタイプのサイクリックプレフィックスを使用する送信および受信の一例を示す図である。
【図２０】本開示のいくつかの態様による、異なるタイプのサイクリックプレフィックスを使用する通信の一例を示す図である。
【発明を実施するための形態】
【００２５】
添付の図面に関して以下に記載する詳細な説明は、様々な構成の説明として意図されており、本明細書で説明する概念が実践され得る唯一の構成を表すことは意図されていない。詳細な説明は、様々な概念の完全な理解を与えるための具体的な詳細を含む。しかしながら、これらの概念がこれらの具体的な詳細なしに実践され得ることは当業者に明らかであろう。場合によっては、そのような概念を曖昧にすることを回避するために、よく知られている構造および構成要素がブロック図の形態で示される。
【００２６】
本開示は、いくつかの態様では、送信デバイスが、シンボル期間に先行するサイクリックプレフィックス(CP)時間期間の間にそのビームフォーミング構成を変更することに関する。たとえば、基地局は、高速フーリエ変換(FFT)ウィンドウに先行する直交周波数分割多重(OFDM)サイクリックプレフィックスウィンドウの間に、その送信機のためのビームフォーミング構成を変更することができる。次いで、受信デバイスは、FFTウィンドウの間に受信されたチップ(サンプル)に基づいて、サイクリックプレフィックスを復元する。
【００２７】
いくつかの変調方式は、次に来るシンボル期間からのシンボルを含まない、いわゆるゼロCPを用いる。ビームフォーミング構成がゼロCP時間期間の間に変更される場合、送信機がそのビームフォーミングを再構成することに起因するデータシグナリングの損失がない。
【００２８】
図2は、第1のビームフォーミングされた通信期間202と、サイクリックプレフィックス期間204と、第2のビームフォーミングされた通信期間206とを含むシグナリング図の200の一例を示す。ここで、ビームフォーミング設定は、サイクリックプレフィックス期間204の間に変更される。したがって、送信機がそのビームフォーミング設定を変更することに起因するデータシグナリングの損失がない。
【００２９】
本開示はまた、いくつかの態様では、デバイスが、通信に異なるタイプのサイクリックプレフィックスを使用することに関する。図3のシグナリング図の300に示すように、通信時間期間302(たとえば、フレーム期間)の間、第1のデバイス(図示せず)と第2のデバイス(図示せず)との間のビームフォーミングされた通信304は最初に、第1のタイプのサイクリックプレフィックス306に基づく。次いで、第1のデバイスと第2のデバイスとの間の後続のビームフォーミングされた通信308は、第2のタイプのサイクリックプレフィックス310に基づく。異なるタイプのサイクリックプレフィックスは、1)次に来るシンボル期間からのシンボルを含む通常CPと、2)次に来るシンボル期間からのシンボルを含まないゼロCPとを含むことができる。
【００３０】
第1の例として、第1のデバイスは、第1のタイプのサイクリックプレフィックスに関連付けられた第1の時間間隔を指定し、次いで、第1の時間間隔の後に第1のセットのサンプルを第2のデバイスに送信することができる。次いで、第1のデバイスは、第2のタイプのサイクリックプレフィックスに関連付けられた第2の時間間隔を指定し、第2の時間間隔の後に第2のデバイスから第2のセットのサンプルを受信することができる。
【００３１】
第2の例として、第1のデバイスは、第1のタイプのサイクリックプレフィックスに関連付けられた第1の時間間隔を指定し、次いで、第1の時間間隔の後に第1のセットのサンプルを第2のデバイスに送信することができる。次いで、第1のデバイスは、第2のタイプのサイクリックプレフィックスに関連付けられた第2の時間間隔を指定し、第2の時間間隔の後に第2のセットのサンプルを第2のデバイスに送信することができる。
【００３２】
本開示のいくつかの追加の態様について、図4〜図12を参照しながら説明する。説明のために、これらの図は、mmWアーキテクチャおよび/または直交周波数分割多重(OFDM)シグナリングの文脈において様々な構成要素を示し得る。しかしながら、本明細書の教示は、他のタイプの無線技術およびアーキテクチャ(たとえば、シングルキャリア通信など)において用いられ得ることを諒解されたい。また、様々な動作は、特定のタイプの構成要素(たとえば、基地局、クライアントデバイス、ピアツーピアデバイス、ユーザ機器(UE)など)によって実行されるものとして説明される場合がある。これらの動作は、他のタイプのデバイスによって実行され得ることを理解されたい。これらの図の複雑さを低減するために、ごく少数の例示的な構成要素が示されている。しかしながら、本明細書の教示は、異なる数の構成要素または他のタイプの構成要素を使用して実装され得る。
【００３３】
基本的な変調方式としてOFDMを使用する多元接続システムでは、サイクリックプレフィックス(CP)は、図4のシグナリング図の400に示すように、いくつかの実装形態において使用され得る。ここで、(たとえば、基地局からのダウンリンクにおいて、図示せず)送信機によって送信されたシンボル402の各々は、CP404およびFFTウィンドウ406の期間に関連付けられる。CPは、シンボルの末尾の反復によって、(FFTウィンドウと呼ばれる)シンボルにプレフィックスを付けること408を伴う。受信機(図示せず)は、3つのマルチパス成分412、414、および416を含むシンボル410を受信する。マルチパスチャネル環境では、送信されたOFDM信号の複数のコピーは、受信機に到着し、したがって、シンボル間干渉(ISI:inter-symbol-interference)をもたらす。これらのマルチパスコピー間の時間差は、チャネルの遅延拡散に依存する。サイクリックプレフィックスの長さが少なくとも遅延拡散と同じくらいである限り、このシナリオではISIは重要な問題ではないので、受信機は、受信されたサンプルをサイクリックプレフィックス間隔において破棄し、復調および復号のために単にFFTウィンドウにおいてサンプルを使用することができる。したがって、このシナリオでは、送信機はCPとFFTウィンドウの両方を送信するが、受信機は受信されたウィンドウ418(FFTウィンドウ)のみを処理する場合がある。
【００３４】
別のOFDM実装形態では、送信機(図示せず)は、図5のシグナリング図の500に示すように、FFTウィンドウにおいてシンボルを送信し、次のシンボルを送信する前に、CPの長さに等しい時間間隔を空のままにする。(たとえば、基地局からのダウンリンクにおいて)送信されたシンボル502の各々は、空のCP期間504およびFFTウィンドウ506に関連付けられる。受信機(図示せず)は、3つのマルチパス成分512、514、および516を含むシンボル510を受信する。受信機は、受信されたウィンドウ518(FFTウィンドウ)において、ならびに図5において「サイクリックプレフィックス」と標示された時間間隔において、サンプルを処理する。詳細には、受信機は、図において「サイクリックプレフィックス」と標示された時間間隔内のサンプルを、受信されたウィンドウ518の先頭に追加し508、その結果、得られたFFTウィンドウは完全なシンボルを含む。完全なシンボルがなければ、OFDMはキャリア間干渉(ICI:inter-carrier-interference)を被る場合がある。言い換えれば、受信機が「サイクリックプレフィックス」部分内のサンプルを無視する場合、(2つのシンボル間の空のガード期間の使用に起因する)ISIは存在しないが、ICIが存在する場合がある。
【００３５】
図6は、図5の代替の実装形態を示す。図6のシグナリング図の600では、(たとえば、基地局からのダウンリンクにおいて、図示せず)送信機によって送信されたシンボル602の各々は、空のCP期間604およびFFTウィンドウ606に関連付けられる。受信機(図示せず)は、3つのマルチパス成分612、614、および616を含むシンボル610を受信する。受信機は、図6において「サイクリックサフィックス」と標示された時間間隔内のサンプルを、受信されたウィンドウ618(FFTウィンドウ)の末尾に追加する608。
【００３６】
図4の方式は通常CP OFDMと呼ばれ、図5および図6の方式はゼロCP OFDMと呼ばれる。
【００３７】
本開示は、いくつかの態様では、(たとえば、ダウンリンクにおいて)送信のためにゼロCP OFDMを使用することに関する。このようにして、送信機のビームフォーミング構成は、図7のシグナリング図の700に示すように、空の間隔(ゼロCP)の間に変更され得る。ここで、(たとえば、基地局からのダウンリンクにおいて、図示せず)送信機によって送信されたシンボル702は、空のCP期間704、FFTウィンドウ706、空のCP期間708、およびFFTウィンドウ710に関連付けられる。第1の受信機(デバイス1、図示せず)は、3つのマルチパス成分を含むシンボル712を受信する。第2の受信機(デバイス2、図示せず)は、3つのマルチパス成分を含むシンボル714を受信する。送信機は、FFTウィンドウ706と710との間の送信機のビームフォーミング設定を変更するためにCPベースの間隔(ギャップ)716を使用する。
【００３８】
本開示はまた、いくつかの態様では、図8のシグナリング図の800に示すように、(たとえば、ダウンリンクにおいて)送信のためにゼロCP OFDMを使用し、(たとえば、アップリンクにおいて)受信のために通常CP OFDMを使用することに関する。ここで、(たとえば、アップリンクにおいて)送信されたシンボル802は、第1のデバイス(デバイス1、図示せず)からのシンボル804と、第2のデバイス(デバイス2、図示せず)からのシンボル806とを含む。受信機(たとえば、基地局、図示せず)は、第1のデバイスからのシンボル808と、第2のデバイスからのシンボル810とを(マルチパスによって)受信する。加えて、受信機は、受信機のビームフォーミング設定を変更するためにCPベースの間隔(ギャップ)812を使用し得る。
【００３９】
図9は、第1のデバイス902(たとえば、基地局)がビームフォーミングを介して第2のデバイス904(たとえば、ユーザ機器(UE))と通信する、システム900の一例を示す。本明細書の教示によれば、第1のデバイス902および第2のデバイス904は、送信および受信に異なるタイプのサイクリックプレフィックス(CP)波形を使用する。この例では、第1のデバイス902は、ゼロCP OFDM波形906を第2のデバイス904に送信し、第2のデバイス904から通常CP OFDM波形908を受信する。逆に、第2のデバイス904は、第1のデバイス902からゼロCP OFDM波形906を受信し、通常CP OFDM波形908を第1のデバイス902に送信する。
【００４０】
いくつかの態様では、デバイスは、送信および受信に異なるCPタイプを使用するかどうかを動的に判定し得る。たとえば、(たとえば、あるデバイスから別のデバイスに通信を切り替える必要に起因して、変化するチャネル状態に起因して、デバイスの移動に起因して、など)ビームフォーミング構成の変更が必要とされると判定すると、デバイスは、送信および受信に異なるCPタイプを使用することを選ぶことができる。また、いくつかの実装形態では、第1のデバイスは、第1のデバイスによって使用されるCPタイプと、それらのCPタイプがいつ使用されるかとを別のデバイスに伝えるメッセージを送ってもよい。代替的に、または追加として、デバイスは、特定のCPタイプがある一定の時間におよび/または特定のシンボルとともに使用されることを期待するように構成され得る。たとえば、デフォルトでは、特定のCPタイプは、フレームのある一定の期間の間に使用され得る(たとえば、フレーム構造は、ある一定のCPタイプがいつ使用されるかを指定する)。一例として、特定の受信機に対して連続して割り振られたすべてのシンボルは、特定のCPタイプ(たとえば、通常CP)を使用して送信され得る。別の例として、既知の境界(たとえば、フレーム境界、ビーコンフレームなど)においてゼロCPが使用され、他の時間において通常CPが使用され得る。
【００４１】
図10は、異なるタイプのサイクリックプレフィックス(CP)波形が使用されるシグナリング図の1000の一例を示す。たとえば、所与の通信時間期間1002の間の通信は、あるデバイスから別のデバイスへの通信用に確保され得る(デバイスは図示せず)。したがって、送信デバイスは、通信時間期間1002全体(たとえば、フレーム期間、定義された数のシンボルなど)の間に同じビームフォーミング構成を使用することが可能であり得る。したがって、送信デバイスは、通信時間期間1002の間、第1のFFTウィンドウにゼロCP1004を使用し、後続のFFTウィンドウに通常CP1006を使用し得る。
【００４２】
後続の通信時間期間について、送信デバイスは、(たとえば、ある受信デバイスから別の受信デバイスに通信を切り替える必要に起因して、など)ビームフォーミング構成の変更が示されているかどうかを判定し得る。そのような変更が示されている場合、送信デバイスはやはり、その通信時間ウィンドウにおいて、第1のFFTウィンドウにゼロCP1008を使用し得る。やはり、デバイスは、どのCPタイプが使用されるかと、これらのCPタイプがいつ使用されるかとを示す情報を交換し得、および/または、デバイスは、(たとえば、展開時に)この情報で構成され得る。
【００４３】
図11は、本開示のいくつかの態様による、ビームフォーミングベースの通信のためのプロセス1100を示す。プロセス1100は、処理回路(たとえば、以下で説明する図13の処理回路1310)内で行われ得、処理回路は、基地局、モバイルデバイス、または何らかの他の適切な装置に配置され得る。もちろん、本開示の範囲内の様々な態様では、プロセス1100は、ビームフォーミング関連の動作をサポートすることが可能な任意の適切な装置によって実装され得る。
【００４４】
ブロック1102において、装置(たとえば、基地局、モバイルデバイスなど)は、デバイスと通信する。たとえば、基地局は最初に、第1のデバイス(たとえば、第1のUE)と通信し得る。この通信は、送信および/または受信を伴い得る。加えて、この通信は、初期タイプのCP(たとえば、通常CP)の使用を伴い得る。
【００４５】
ブロック1104において、装置は、別のデバイスとの通信が始まるべきであると判定する。たとえば、装置は、第1の時間期間の間に第1のデバイスと通信し、次いで、第2の時間期間の間に第2のデバイス(たとえば、第2のUE)と通信する必要があると判定し得る。
【００４６】
ブロック1106において、装置は、ブロック1104の判定の結果として、第1のタイプのサイクリックプレフィックスに切り替える。結局、第1のタイプのサイクリックプレフィックスはゼロCPであり、装置は、対応するサイクリックプレフィックス期間の間にサンプルを送信しない。
【００４７】
ブロック1108において、装置は、シンボルを別のデバイスに送信する。この送信は、第1のタイプのサイクリックプレフィックスのためのサイクリックプレフィックス期間の後に来る。
【００４８】
ブロック1110において、装置は、第2のタイプのサイクリックプレフィックスに切り替える。結局、第2のタイプのサイクリックプレフィックスは通常CPであり、装置は、対応するサイクリックプレフィックス期間の間に適切なCPサンプルを送信する。
【００４９】
ブロック1112において、装置は、シンボルを別のデバイスに送信する。この送信は、第2のタイプのサイクリックプレフィックスのためのサイクリックプレフィックス期間の後に来る。
【００５０】
次いで、後続の通信についてブロック1104〜1112の動作が繰り返され得る。
【００５１】
図12は、本開示のいくつかの態様による、ビームフォーミングベースの通信のためのプロセス1200を示す。プロセス1200は、処理回路(たとえば、以下で説明する図13の処理回路1310)内で行われ得、処理回路は、基地局、モバイルデバイス、または何らかの他の適切な装置に配置され得る。もちろん、本開示の範囲内の様々な態様では、プロセス1200は、ビームフォーミング関連の動作をサポートすることが可能な任意の適切な装置によって実装され得る。
【００５２】
ブロック1202において、装置(たとえば、基地局、モバイルデバイスなど)は、第1のビームフォーミング構成を使用して送信する。たとえば、基地局は最初に、第1のデバイス(たとえば、第1のUE)に送信し得る。この送信は、初期タイプのCP(たとえば、通常CP)の使用を伴い得る。
【００５３】
ブロック1204において、装置は、ビームフォーミング構成が変更されるべきであると判定する。たとえば、装置は、異なるビーム形状の使用を要するチャネル状態の変更、別のデバイスと通信する必要、装置が現在通信している相手であるデバイスの移動、またはビーム経路における障害のうちの少なくとも1つに起因して、新しいビームフォーミング構成が必要とされていると判定し得る。
【００５４】
ブロック1206において、装置は、ブロック1204の判定の結果として、所与のサイクリックプレフィックス期間について第1のタイプのサイクリックプレフィックス(たとえば、ゼロCP)に切り替える。
【００５５】
ブロック1208において、装置は、第1のタイプのサイクリックプレフィックスのためのサイクリックプレフィックス期間の間にビームフォーミング構成(たとえば、設定)を変更する。
【００５６】
ブロック1210において、装置は、第1のタイプのサイクリックプレフィックスのためのサイクリックプレフィックス期間の後にシンボルを送信する。
【００５７】
ブロック1212において、装置は、第2のタイプのサイクリックプレフィックス(たとえば、通常CP)に切り替える。
【００５８】
ブロック1214において、装置は、第2のタイプのサイクリックプレフィックスのためのサイクリックプレフィックス期間の後にシンボルを送信する。
【００５９】
次いで、後続の通信についてブロック1204〜1214の動作が繰り返され得る。
【００６０】
例示的な装置
図13は、本開示の1つまたは複数の態様に従って通信するように構成された装置1300(たとえば、ワイヤレスデバイス)の例示的なハードウェア実装形態のブロック図を示す。たとえば、装置1300は、アクセス端末、アクセスポイント、または何らかの他のタイプのデバイスを具現化することができる。様々な実装形態では、装置1300は、モバイルフォン、スマートフォン、タブレット、ポータブルコンピュータ、サーバ、パーソナルコンピュータ、センサー、および/または回路を有する任意の他の電子デバイスとすることができる。
【００６１】
装置1300は、通信インターフェース(たとえば、少なくとも1つのトランシーバ)1302、記憶媒体1304、ユーザインターフェース1306、メモリデバイス(たとえば、メモリ回路)1308、および処理回路(たとえば、少なくとも1つのプロセッサ)1310を含む。様々な実装形態では、ユーザインターフェース1306は、キーパッド、ディスプレイ、スピーカ、マイクロフォン、タッチスクリーンディスプレイ、またはユーザから入力を受信するもしくは出力をユーザに送るための何らかの他の回路のうちの1つまたは複数を含み得る。
【００６２】
これらの構成要素は、図13の接続線によって概略的に表される、シグナリングバスまたは他の適切な構成要素を介して互いに結合され得、および/または互いと電気通信するように配置され得る。シグナリングバスは、処理回路1310の特定の適用例および全体的な設計制約に応じて、任意の数の相互接続バスおよびブリッジを含み得る。シグナリングバスは、通信インターフェース1302、記憶媒体1304、ユーザインターフェース1306、およびメモリデバイス1308の各々が処理回路1310に結合され、および/または処理回路1310と電気通信するように、様々な回路を互いにリンクさせる。シグナリングバスはまた、タイミングソース、周辺装置、電圧調整器、および電力管理回路などの様々な他の回路(図示せず)をリンクさせ得るが、これらの回路は当技術分野でよく知られており、したがって、これ以上は説明しない。
【００６３】
通信インターフェース1302は、送信媒体を介して他の装置と通信するための手段を提供する。いくつかの実装形態では、通信インターフェース1302は、ネットワーク内の1つまたは複数の通信デバイスに関して双方向に情報の通信を容易にするように適合された回路および/またはプログラミングを含む。いくつかの実装形態では、通信インターフェース1302は、装置1300のワイヤレス通信を容易にするように適合される。これらの実装形態では、通信インターフェース1302は、ワイヤレス通信システム内のワイヤレス通信のための、図13に示すような1つまたは複数のアンテナ1312に結合され得る。通信インターフェース1302は、1つまたは複数のスタンドアロン受信機および/または送信機、ならびに1つまたは複数のトランシーバを用いて構成され得る。図示の例では、通信インターフェース1302は、送信機1314および受信機1316を含む。通信インターフェース1302は、受信するための手段および/または送信するための手段の一例として機能する。
【００６４】
メモリデバイス1308は、1つまたは複数のメモリデバイスを表し得る。図示のように、メモリデバイス1308は、装置1300によって使用される他の情報とともに、ビームフォーミング情報1318を維持し得る。いくつかの実装形態では、メモリデバイス1308および記憶媒体1304は、共通のメモリ構成要素として実装される。メモリデバイス1308はまた、処理回路1310または装置1300の何らかの他の構成要素によって操作されるデータを記憶するために使用され得る。
【００６５】
記憶媒体1304は、プロセッサ実行可能コードもしくは命令(たとえば、ソフトウェア、ファームウェア)などのプログラミング、電子データ、データベース、または他のデジタル情報を記憶するための1つまたは複数のコンピュータ可読、機械可読、および/またはプロセッサ可読デバイスを表し得る。記憶媒体1304はまた、プログラミングを実行するときに処理回路1310によって操作されるデータを記憶するために使用され得る。記憶媒体1304は、ポータブルまたは固定の記憶デバイスと、光記憶デバイスと、プログラミングを記憶する、含むまたは搬送することが可能な様々な他の媒体とを含む、汎用または専用プロセッサによってアクセスされ得る任意の利用可能な媒体であり得る。
【００６６】
限定ではなく例として、記憶媒体1304は、磁気記憶デバイス(たとえば、ハードディスク、フロッピー(登録商標)ディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびに、コンピュータによってアクセスされ、読み取られ得るソフトウェアおよび/または命令を記憶するための任意の他の適切な媒体を含み得る。記憶媒体1304は、製造品(たとえば、コンピュータプログラム製品)において具現化され得る。例として、コンピュータプログラム製品は、パッケージング材料内のコンピュータ可読媒体を含み得る。上記に鑑みて、いくつかの実装形態では、記憶媒体1304は、非一時的(たとえば、有形)記憶媒体であり得る。
【００６７】
記憶媒体1304は、処理回路1310が記憶媒体1304から情報を読み取り、記憶媒体1304に情報を書き込むことができるように、処理回路1310に結合され得る。すなわち、記憶媒体1304は、少なくとも1つの記憶媒体が処理回路1310と一体である例および/または少なくとも1つの記憶媒体が処理回路1310から分離されている(たとえば、装置1300内にある、装置1300の外部にある、複数のエンティティにわたって分散されている、など)例を含め、記憶媒体1304が少なくとも処理回路1310によってアクセス可能であるように、処理回路1310に結合され得る。
【００６８】
記憶媒体1304によって記憶されているプログラミングは、処理回路1310によって実行されると、処理回路1310に、本明細書で説明する様々な機能および/またはプロセス動作のうちの1つまたは複数を実行させる。たとえば、記憶媒体1304は、処理回路1310の1つまたは複数のハードウェアブロックにおける動作を調整するように、ならびにそれらのそれぞれの通信プロトコルを利用するワイヤレス通信用の通信インターフェース1302を利用するように構成された動作を含み得る。
【００６９】
処理回路1310は、一般に、記憶媒体1304上に記憶されたそのようなプログラミングの実行を含む処理のために適合される。本明細書で使用する「コード」または「プログラミング」という用語は、ソフトウェア、ファームウェア、ミドルウェア、マイクロコード、ハードウェア記述言語と呼ばれるか、または他の名称で呼ばれるかにかかわらず、限定はしないが、命令、命令セット、データ、コード、コードセグメント、プログラムコード、プログラム、プログラミング、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを含むように広く解釈されるべきである。
【００７０】
処理回路1310は、データの取得、処理および/または送信を行い、データのアクセスおよび記憶を制御し、コマンドを発行し、他の所望の動作を制御するように構成される。処理回路1310は、少なくとも1つの例では、適切な媒体によって与えられる所望のプログラミングを実装するように構成された回路を含み得る。たとえば、処理回路1310は、1つもしくは複数のプロセッサ、1つもしくは複数のコントローラ、および/または実行可能なプログラミングを実行するように構成された他の構造として実装され得る。処理回路1310の例は、汎用プロセッサ、デジタル信号プロセッサ(DSP)、特定用途向け集積回路(ASIC)、フィールドプログラマブルゲートアレイ(FPGA)もしくは他のプログラマブル論理構成要素、個別ゲートもしくはトランジスタ論理、個別ハードウェア構成要素、または本明細書で説明する機能を実行するように設計されたそれらの任意の組合せを含み得る。汎用プロセッサは、マイクロプロセッサ、ならびに任意の従来のプロセッサ、コントローラ、マイクロコントローラ、または状態機械を含み得る。処理回路1310はまた、DSPとマイクロプロセッサの組合せ、いくつかのマイクロプロセッサ、DSPコアと連携する1つもしくは複数のマイクロプロセッサ、ASICとマイクロプロセッサ、または任意の他の数の様々な構成などのコンピューティング構成要素の組合せとして実装され得る。処理回路1310のこれらの例は説明のためであり、本開示の範囲内の他の適切な構成も企図される。
【００７１】
本開示の1つまたは複数の態様によれば、処理回路1310は、本明細書で説明する装置のいずれかまたはすべてのための特徴、プロセス、機能、動作および/またはルーチンのいずれかまたはすべてを実行するように適合され得る。たとえば、処理回路1310は、図1〜図12および図14〜図20に関して説明したステップ、機能、プロセスなどのいずれかを実行するように構成され得る。処理回路1310に関して本明細書で使用する「適合される」という用語は、処理回路1310が、本明細書で説明する様々な特徴による特定のプロセス、機能、動作および/またはルーチンを実行するように構成されること、用いられること、実装されること、および/またはプログラムされることのうちの1つまたは複数を指し得る。
【００７２】
処理回路1310は、図1〜図12および図14〜図20とともに説明する動作のいずれか1つを実行するための手段(たとえば、そのための構造)として機能する特定用途向け集積回路(ASIC)などの、特殊なプロセッサであり得る。処理回路1310は、送信するための手段および/または受信するための手段の一例として機能する。
【００７３】
装置1300の少なくとも1つの例によれば、処理回路1310は、送信するための回路/モジュール1320、ビームフォーミング構成を変更するための回路/モジュール1322、受信するための回路/モジュール1324、指定するための回路/モジュール1326、または通信するための回路/モジュール1328のうちの1つまたは複数を含み得る。
【００７４】
送信するための回路/モジュール1320は、たとえば、シンボル期間の間にサンプルを送信することに関するいくつかの機能を実行するように適合された回路および/またはプログラミング(たとえば、記憶媒体1304上に記憶された、送信するためのコード1330)を含み得る。最初に、送信するための回路/モジュール1320は、送信されるべきデータを取得する。たとえば、送信するための回路/モジュール1320は、このデータを、装置の構成要素(たとえば、メモリデバイス1308または何らかの他の構成要素)から直接取得し得る。いくつかの実装形態では、送信するための回路/モジュール1320は、送信されるべきデータを処理する(たとえば、符号化する)。次いで、送信するための回路/モジュール1320は、データが送信されるようにする。たとえば、送信するための回路/モジュール1320は、後続の無線周波数(RF)送信のために、データを送信機1314に渡すことができる。いくつかの実装形態では、送信機1314は、送信するための回路/モジュール1320および/または送信するためのコード1326を含む。
【００７５】
ビームフォーミング構成を変更するための回路/モジュール1322は、たとえば、サイクリックプレフィックス期間の間にまたは何らかの他の時に第1のビームフォーミング構成から第2のビームフォーミング構成に変更することに関するいくつかの機能を実行するように適合された回路および/またはプログラミング(たとえば、記憶媒体1304上に記憶された、ビームフォーミング構成を変更するためのコード1332)を含み得る。最初に、ビームフォーミング構成を変更するための回路/モジュール1322は、ビームフォーミング構成が変更されるべきであるという指示を受信する。加えて、ビームフォーミング構成を変更するための回路/モジュール1322は、新しいビームフォーミング構成のためのパラメータを(たとえば、メモリデバイス1308、受信機1316、または何らかの他の構成要素から)取得する。これらのパラメータは、たとえば、構成の対象となるアンテナごとの振幅値および位相値を含み得る。次いで、ビームフォーミング構成を変更するための回路/モジュール1322は、取得されたパラメータに基づいて、送信機1314が無線周波数(RF)信号を送信するおよび/または受信機1316がRF信号を受信するときに所望のビームフォーミングを提供するために送信機1314および/または受信機1316の少なくとも1つの構成要素(たとえば、増幅器および/または位相シフタ)を制御する、少なくとも1つの制御信号を生成する。
【００７６】
受信するための回路/モジュール1324は、たとえば、シンボル期間の間にサンプルを受信することに関するいくつかの機能を実行するように適合された回路および/またはプログラミング(たとえば、記憶媒体1304上に記憶された、受信するためのコード1334)を含み得る。最初に、受信するための回路/モジュール1324は、受信された情報を取得する。たとえば、受信するための回路/モジュール1324は、装置の構成要素(たとえば、受信機1316、メモリデバイス1308、または何らかの他の構成要素)から、またはパラメータを送信したデバイス(たとえば、アクセス端末)から直接、この情報を取得し得る。いくつかの実装形態では、受信するための回路/モジュール1324は、メモリデバイス1308または何らかの他の構成要素内のロケーションを識別し、情報を受信するためにそのロケーションの読取りを引き起こす。いくつかの実装形態では、受信するための回路/モジュール1324は、受信された情報を処理する(たとえば、復号する)。次いで、受信するための回路/モジュール1324は、受信された情報を出力する(たとえば、情報をメモリデバイス1308に記憶するか、または情報を装置1300の別の構成要素に送る)。いくつかの実装形態では、受信機1316は、受信するための回路/モジュール1324および/または受信するためのコード1334を含む。
【００７７】
指定するための回路/モジュール1326は、たとえば、異なるサイクリックプレフィックス期間に関連付けられた時間間隔を指定することに関するいくつかの機能を実行するように適合された回路および/またはプログラミング(たとえば、記憶媒体1304上に記憶された、指定するためのコード1336)を含み得る。最初に、指定するための回路/モジュール1326は、サイクリックプレフィックス期間が指定されるべきであるという指示を受信する。加えて、指定するための回路/モジュール1326は、特定の時間間隔の間に使用されるべきサイクリック期間のタイプを判定し得る。たとえば、通信があるデバイスから別のデバイスに切り替えられるべきである場合、またはビームフォーミング構成の変更がある場合、ゼロCPに関連付けられた時間期間が指定され得、そうではない場合、通常CPに関連付けられた時間期間が指定され得る。次いで、指定するための回路/モジュール1326は、所与の通信に使用されるべき適切なタイプのサイクリックプレフィックスに対して時間間隔が指定されるように、指定の指示を装置1300の構成要素(たとえば、送信機1314、受信機1316、またはメモリデバイス1308)に送る。
【００７８】
通信するための回路/モジュール1328は、たとえば、情報(たとえば、サンプル)を通信することに関するいくつかの機能を実行するように適合された回路および/またはプログラミング(たとえば、記憶媒体1304上に記憶された、通信するためのコード1338)を含み得る。いくつかの実装形態では、通信することは、装置1300の構成要素(たとえば、受信機1316またはメモリデバイス1308)から情報を受信することを伴う。いくつかの実装形態では、通信することは、(たとえば、通信するための回路/モジュール1328が送信機を含む場合)情報を最終的な宛先に直接送るか、または、別のデバイスへの送信のために情報を装置1300の別の構成要素(たとえば、送信機1314)に送ることを伴う。
【００７９】
上述のように、記憶媒体1304によって記憶されているプログラミングは、処理回路1310によって実行されると、処理回路1310に、本明細書で説明する様々な機能および/またはプロセス動作のうちの1つまたは複数を実行させる。たとえば、プログラミングは、処理回路1310によって実行されると、処理回路1310に、様々な実装形態における図1〜図12および図14〜図20に関して本明細書で説明する様々な機能、ステップ、プロセスなどを実行させ得る。図13に示すように、記憶媒体1304は、送信するためのコード1330、ビームフォーミング構成を変更するためのコード1332、受信するためのコード1334、指定するためのコード1336、または通信するためのコード1338のうちの1つまたは複数を含み得る。
【００８０】
例示的なプロセス
図14は、本開示のいくつかの態様による、ビームフォーミング構成を変更するためのプロセス1400を示す。プロセス1400は、処理回路(たとえば、図13の処理回路1310)内で行われ得、処理回路は、基地局、モバイルデバイス、または何らかの他の適切な装置に配置され得る。もちろん、本開示の範囲内の様々な態様では、プロセス1400は、ビームフォーミング関連の動作をサポートすることが可能な任意の適切な装置によって実装され得る。
【００８１】
ブロック1402において、装置(たとえば、基地局、モバイルデバイスなど)は、第1のシンボル期間の間に第1のセットのサンプルを送信する。いくつかの態様では、装置は、第1のセットのサンプルの送信において第1のビームフォーミング構成を使用し得る。
【００８２】
ブロック1404において、装置は、第1のサイクリックプレフィックス期間の間に第1のビームフォーミング構成から第2のビームフォーミング構成に変更する。いくつかの態様では、装置は、第1のサイクリックプレフィックス期間の間にサンプルを送信しない。第2のビームフォーミング構成は、第1のビームフォーミング構成とは異なる。
【００８３】
いくつかの態様では、ビームフォーミング構成の変更は、通信に使用されるアンテナの数を変更すること、アンテナに関連付けられた位相設定を変更すること、またはアンテナに関連付けられた信号振幅を変更することのうちの少なくとも1つを含む。
【００８４】
いくつかの態様では、装置は、ビームフォーミング構成の変更が示されているとの判定を行う。この判定により、装置が、最初の送信に第1のタイプのサイクリックプレフィックス(CP)波形を使用し、後続の送信に第2のタイプのサイクリックプレフィックス(CP)波形を使用することを選ぶという結果になり得る。
【００８５】
ブロック1406において、装置は、第1のサイクリックプレフィックス期間の後に来る(たとえば、直後に来る)第2のシンボル期間の間に第2のセットのサンプルを送信する。装置は、第2のセットのサンプルの送信において第2のビームフォーミング構成を使用する。
【００８６】
いくつかのシナリオでは、装置は、第1のセットのサンプルを第1のデバイスに送信し、第2のセットのサンプルを第1のデバイスとは異なる第2のデバイスに送信する。
【００８７】
いくつかの態様では、シンボル期間は、高速フーリエ変換(FFT)ウィンドウであり得る。
【００８８】
いくつかの態様では、第1のセットのサンプルの送信および第2のセットのサンプルの送信は、直交周波数分割多重(OFDM)を用いる。いくつかの態様では、第1のセットのサンプルの送信および第2のセットのサンプルの送信は、サイクリックプレフィックス通信とともにシングルキャリアを用いる。
【００８９】
いくつかの態様では、第1のセットのサンプルの送信および第2のセットのサンプルの送信は、サンプルを送信するためにゼロサイクリックプレフィックス(ゼロCP)直交周波数分割多重(OFDM)を使用することを含む。この場合、装置は、通常サイクリックプレフィックス(通常CP)直交周波数分割多重(OFDM)を使用して送信された他のサンプルを受信し得る。
【００９０】
いくつかの態様では、装置は、第2のシンボル期間の後に来る第2のサイクリックプレフィックス期間の間に送信し、第2のサイクリックプレフィックス期間の後に来る第3のシンボル期間の間に第3のセットのサンプルを受信し得る。
【００９１】
図15は、本開示のいくつかの態様による、ビームフォーミング構成を変更するためのプロセス1500を示す。いくつかの態様では、プロセス1500は、図14のプロセス1400の後に来る場合がある。プロセス1500は、処理回路(たとえば、図13の処理回路1310)内で行われ得、処理回路は、基地局、モバイルデバイス、または何らかの他の適切な装置に配置され得る。もちろん、本開示の範囲内の様々な態様では、プロセス1500は、ビームフォーミング関連の動作をサポートすることが可能な任意の適切な装置によって実装され得る。
【００９２】
ブロック1502において、装置(たとえば、基地局、モバイルデバイスなど)は、第3のシンボル期間の間に第3のセットのサンプルを受信する。いくつかの態様では、装置は、第3のセットのサンプルの受信において第3のビームフォーミング構成を使用する。
【００９３】
ブロック1504において、装置は、第2のサイクリックプレフィックス期間の間に第3のビームフォーミング構成から第4のビームフォーミング構成への変更を行う。いくつかの態様では、装置は、第2のサイクリックプレフィックス期間の少なくとも一部分の間にサンプルを受信しない。第4のビームフォーミング構成は、第3のビームフォーミング構成とは異なる。
【００９４】
ブロック1506において、装置は、第2のサイクリックプレフィックス期間の後に来る(たとえば、直後に来る)第4のシンボル期間の間に第4のセットのサンプルを受信する。いくつかの態様では、装置は、第4のセットのサンプルの受信において第4のビームフォーミング構成を使用する。
【００９５】
いくつかのシナリオでは、装置は、第1のデバイスから第3のセットのサンプルを受信し、第1のデバイスとは異なる第2のデバイスから第4のセットのサンプルを受信する。
【００９６】
図16は、本開示のいくつかの態様による、ビームフォーミングベースの通信のためのプロセス1600を示す。いくつかの態様では、プロセス1600は、本明細書で教示するように、送信および受信に異なるCPタイプを使用することを伴う。プロセス1600は、処理回路(たとえば、図13の処理回路1310)内で行われ得、処理回路は、基地局、モバイルデバイス、または何らかの他の適切な装置に配置され得る。もちろん、本開示の範囲内の様々な態様では、プロセス1600は、ビームフォーミング関連の動作をサポートすることが可能な任意の適切な装置によって実装され得る。
【００９７】
ブロック1602において、装置(たとえば、基地局、モバイルデバイスなど)は、第1のタイプのサイクリックプレフィックスに関連付けられた第1の時間間隔を指定する。たとえば、装置は第1のCP期間を識別し得る。
【００９８】
ブロック1604において、装置は、第1の時間間隔の後に(たとえば、直後に)第1のセットのサンプルを送信する。たとえば、装置は、第1のCP期間の後に来る(たとえば、直後に来る)第1のFFTウィンドウの間にサンプルを送信し得る。
【００９９】
ブロック1606において、装置は、第1のタイプのサイクリックプレフィックスとは異なる第2のタイプのサイクリックプレフィックスに関連付けられた第2の時間間隔を指定する。たとえば、装置は第2のCP期間を識別し得る。
【０１００】
ブロック1608において、装置は、第2の時間間隔の後に(たとえば、直後に)第2のセットのサンプルを受信する。たとえば、装置は、第2のCP期間の後に来る(たとえば、直後に来る)第2のFFTウィンドウの間にサンプルを受信し得る。
【０１０１】
いくつかの態様では、第1のタイプのサイクリックプレフィックスがゼロサイクリックプレフィックス(ゼロCP)を含み、第2のタイプのサイクリックプレフィックスが通常サイクリックプレフィックス(通常CP)を含む。いくつかの態様では、第1のセットのサンプルの通信および第2のセットのサンプルの通信は、通信時間期間の間に実行される。いくつかの態様では、通信時間期間は、フレーム時間期間を含む。いくつかの態様では、通信時間期間は、ある数量の連続したシンボル期間を含む。
【０１０２】
図17は、本開示のいくつかの態様による、ビームフォーミングベースの通信のためのプロセス1700を示す。いくつかの態様では、プロセス1700は、本明細書で教示するように、異なる通信に異なるCPタイプを使用することを伴う。いくつかの態様では、プロセス1700は、図14のプロセス1400の後に来る場合がある。プロセス1700は、処理回路(たとえば、図13の処理回路1310)内で行われ得、処理回路は、基地局、モバイルデバイス、または何らかの他の適切な装置に配置され得る。もちろん、本開示の範囲内の様々な態様では、プロセス1700は、ビームフォーミング関連の動作をサポートすることが可能な任意の適切な装置によって実装され得る。
【０１０３】
ブロック1702において、装置(たとえば、基地局、モバイルデバイスなど)は、第1のタイプのサイクリックプレフィックスに関連付けられた第1の時間間隔を指定する。たとえば、装置は第1のCP期間を識別し得る。
【０１０４】
ブロック1704において、装置は、第1の時間間隔の後に(たとえば、直後に)第1のセットのサンプルを通信(たとえば、送信または受信)する。たとえば、装置は、第1のCP期間の後に来る第1のFFTウィンドウの間にサンプルを通信し得る。いくつかの態様では、ブロック1704の動作は、図14のブロック1402の動作に対応し得る。
【０１０５】
ブロック1706において、装置は、第1のセットのサンプルの後に第2のタイプのサイクリックプレフィックスに関連付けられた第2の時間間隔を指定する。たとえば、装置は、第1のFFTウィンドウの後に来る(たとえば、直後に来る)第2のCP期間を識別し得る。
【０１０６】
ブロック1708において、装置は、第2の時間間隔の後に(たとえば、直後に)第2のセットのサンプルを通信(たとえば、送信または受信)する。たとえば、装置は、第2のCP期間の後に来る第2のFFTウィンドウの間にサンプルを通信し得る。いくつかの態様では、ブロック1708の動作は、図14のブロック1406の動作に対応し得る。
【０１０７】
いくつかの態様では、第1のタイプのサイクリックプレフィックスがゼロサイクリックプレフィックス(ゼロCP)を含み、第2のタイプのサイクリックプレフィックスが通常サイクリックプレフィックス(通常CP)を含む。いくつかの態様では、第1のセットのサンプルの通信および第2のセットのサンプルの通信は、通信時間期間の間に実行される。いくつかの態様では、通信時間期間は、フレーム時間期間を含む。いくつかの態様では、通信時間期間は、ある数量の連続したシンボル期間を含む。
【０１０８】
いくつかの態様では、サンプルの通信は、サンプルを送信することおよび/またはサンプルを受信することを含む。いくつかの態様では、サンプルの通信は、サイクリックプレフィックス通信とともにシングルキャリアを用いる。いくつかの態様では、サンプルの通信は、直交周波数分割多重(OFDM)を用いる。
【０１０９】
いくつかの態様では、サンプルの通信は、サンプルを送信するためにゼロサイクリックプレフィックス(ゼロCP)直交周波数分割多重(OFDM)を使用することを含む。この場合、通常サイクリックプレフィックス(通常CP)直交周波数分割多重(OFDM)を使用して送信された他のサンプルが受信され得る。
【０１１０】
いくつかの態様では、サンプルの通信は、通常サイクリックプレフィックス(通常CP)直交周波数分割多重(OFDM)を使用して送信されたサンプルを受信することを含む。この場合、他のサンプルは、ゼロサイクリックプレフィックス(ゼロCP)直交周波数分割多重(OFDM)を使用して送信され得る。
【０１１１】
いくつかの態様では、装置は、第1の時間間隔の前に第3のセットのサンプルを通信し、第1の時間間隔は、第3のセットのサンプルの末尾で始まり、第1のセットのサンプルの先頭で終わり、装置は、第1の時間間隔の間にサンプルを通信しない。
【０１１２】
図18は、本開示のいくつかの態様による、CP期間の間にビームフォーミング構成を変更するためのプロセス1800を示す。プロセス1800は、処理回路(たとえば、図13の処理回路1310)内で行われ得、処理回路は、基地局、モバイルデバイス、または何らかの他の適切な装置に配置され得る。もちろん、本開示の範囲内の様々な態様では、プロセス1800は、ビームフォーミング関連の動作をサポートすることが可能な任意の適切な装置によって実装され得る。
【０１１３】
ブロック1802において、装置(たとえば、基地局、モバイルデバイスなど)は、サイクリックプレフィックス期間に関連付けられたシンボル期間に先行するサイクリックプレフィックス期間の間にビームフォーミング構成を変更する。いくつかの態様では、ブロック1802の動作は、図14のブロック1404の動作に対応し得る。いくつかの態様では、ブロック1802の動作は、図15のブロック1504の動作に対応し得る。
【０１１４】
ブロック1804において、サンプルはシンボル期間の間に通信される。この通信は、ブロック1802から変更されたビームフォーミング構成を使用する。いくつかの態様では、ブロック1804の動作は、図14のブロック1406の動作に対応し得る。いくつかの態様では、ブロック1804の動作は、図15のブロック1506の動作に対応し得る。
【０１１５】
図19は、本開示のいくつかの態様による、ビームフォーミングベースの通信のためのプロセス1900を示す。いくつかの態様では、プロセス1900は、本明細書で教示するように、送信および受信に異なるCPタイプを使用することを伴う。プロセス1900は、処理回路(たとえば、図13の処理回路1310)内で行われ得、処理回路は、基地局、モバイルデバイス、または何らかの他の適切な装置に配置され得る。もちろん、本開示の範囲内の様々な態様では、プロセス1900は、ビームフォーミング関連の動作をサポートすることが可能な任意の適切な装置によって実装され得る。
【０１１６】
ブロック1902において、第1のシンボルが装置において(すなわち、装置によって)送信される。送信されたシンボルは、第1のタイプのサイクリックプレフィックス(CP)波形を含む。
【０１１７】
ブロック1904において、第2のシンボルが装置において受信される。受信されたシンボルは、第2のタイプのサイクリックプレフィックス(CP)波形を含む。
【０１１８】
いくつかの態様では、第1のタイプのサイクリックプレフィックス(CP)波形がゼロサイクリックプレフィックス(ゼロCP)波形を含み、第2のタイプのサイクリックプレフィックス(CP)波形が通常サイクリックプレフィックス(通常CP)波形を含む。いくつかの態様では、第1のタイプのサイクリックプレフィックス(CP)波形が通常サイクリックプレフィックス(通常CP)波形を含み、第2のタイプのサイクリックプレフィックス(CP)波形がゼロサイクリックプレフィックス(ゼロCP)波形を含む。
【０１１９】
いくつかの態様では、送信および受信は、直交周波数分割多重(OFDM)を用いる。いくつかの態様では、送信および受信は、サイクリックプレフィックス通信とともにシングルキャリアを用いる。
【０１２０】
いくつかの態様では、ビームフォーミング構成の変更が示されているとの判定が行われる。その場合、この判定は、送信に対して第1のタイプのサイクリックプレフィックス(CP)波形の使用をトリガし、受信に対して第2のタイプのサイクリックプレフィックス(CP)波形の使用をトリガし得る。
【０１２１】
図20は、本開示のいくつかの態様による、ビームフォーミングベースの通信のためのプロセス2000を示す。いくつかの態様では、プロセス2000は、本明細書で教示するように、異なる通信に異なるCPタイプを使用することを伴う。プロセス2000は、処理回路(たとえば、図13の処理回路1310)内で行われ得、処理回路は、基地局、モバイルデバイス、または何らかの他の適切な装置に配置され得る。もちろん、本開示の範囲内の様々な態様では、プロセス2000は、ビームフォーミング関連の動作をサポートすることが可能な任意の適切な装置によって実装され得る。
【０１２２】
ブロック2002において、装置(たとえば、基地局、モバイルデバイスなど)は、第1のタイプのサイクリックプレフィックス(CP)波形を使用して通信する。
【０１２３】
ブロック2004において、装置は、第2のタイプのサイクリックプレフィックス(CP)波形を使用して通信する。
【０１２４】
いくつかの態様では、第1のタイプのサイクリックプレフィックス(CP)波形を使用する通信および第2のタイプのサイクリックプレフィックス(CP)波形を使用する通信は、通信時間期間の間に実行される。いくつかの態様では、通信時間期間は、フレーム時間期間を含む。いくつかの態様では、通信時間期間は、ある数量の連続したシンボル期間を含む。
【０１２５】
いくつかの態様では、通信は、直交周波数分割多重(OFDM)を用いる。いくつかの態様では、通信は、サイクリックプレフィックス通信とともにシングルキャリアを用いる。
【０１２６】
いくつかの態様では、装置は、ビームフォーミング構成の変更が示されていると判定する。この判定により、装置が、最初の送信に第1のタイプのサイクリックプレフィックス(CP)波形を使用し、後続の送信に第2のタイプのサイクリックプレフィックス(CP)波形を使用することを選ぶという結果になり得る。
【０１２７】
追加の態様
図に示す構成要素、ステップ、特徴および/または機能のうちの1つまたは複数は、単一の構成要素、ステップ、特徴または機能に再構成および/または結合されてもよく、あるいはいくつかの構成要素、ステップ、または機能において具現化されてもよい。本明細書で開示する新規の特徴から逸脱することなく、追加の要素、構成要素、ステップ、および/または機能が追加される場合もある。図に示す装置、デバイス、および/または構成要素は、本明細書で説明する方法、特徴、またはステップのうちの1つまたは複数を実行するように構成され得る。本明細書で説明する新規のアルゴリズムも、ソフトウェアにおいて効率的に実装されてもよく、および/またはハードウェアに埋め込まれてもよい。
【０１２８】
開示した方法におけるステップの特定の順序または階層は、例示的なプロセスの説明であることを理解されたい。設計の選好に基づいて、方法におけるステップの特定の順序または階層が再構成され得ることを理解されたい。添付の方法クレームは、様々なステップの要素を例示的な順序で提示したものであり、クレーム内で特に記載されていない限り、提示された特定の順序または階層に限定されることを意図するものではない。本開示から逸脱することなく、追加の要素、構成要素、ステップ、および/または機能が追加されることもあり、または利用されないこともある。
【０１２９】
本開示の特徴について、いくつかの実装形態および図に対して説明した場合があるが、本開示のすべての実装形態は、本明細書で説明した有利な特徴のうちの1つまたは複数を含むことができる。言い換えれば、1つまたは複数の実装形態について、いくつかの有利な特徴を有するものとして説明した場合があるが、そのような特徴のうちの1つまたは複数はまた、本明細書で説明した様々な実装形態のいずれかに従って使用され得る。同様に、例示的な実装形態について、デバイス、システム、または方法の実装形態として本明細書で説明した場合があるが、そのような例示的な実装形態は、様々なデバイス、システム、および方法において実装され得ることを理解されたい。
【０１３０】
また、少なくともいくつかの実装形態について、フローチャート、流れ図、構造図、またはブロック図として示されるプロセスとして説明したことに留意されたい。フローチャートは動作を逐次プロセスとして説明する場合があるが、動作のうちの多くは並行してまたは同時に実行され得る。加えて、動作の順序は並べ替えられてもよい。プロセスは、その動作が完了したときに終了する。いくつかの態様では、プロセスは、メソッド、関数、プロシージャ、サブルーチン、サブプログラムなどに対応し得る。プロセスが関数に対応するとき、その終了は、その関数が呼び出し関数またはメイン関数に戻ることに対応する。本明細書で説明する様々な方法のうちの1つまたは複数は、機械可読、コンピュータ可読、および/またはプロセッサ可読記憶媒体に記憶され得るプログラミング(たとえば、命令および/またはデータ)によって部分的にまたは完全に実装され、1つまたは複数のプロセッサ、機械および/またはデバイスによって実行され得る。
【０１３１】
さらに、本明細書で開示する実装形態に関して説明する様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることが当業者には諒解されよう。この互換性を明確に示すために、様々な例示的な構成要素、ブロック、モジュール、回路、およびステップについて、上記では概してそれらの機能に関して説明した。そのような機能がハードウェアとして実装されるかソフトウェアとして実装されるかは、特定の適用例および全体的なシステムに課された設計制約に依存する。
【０１３２】
本開示内で、「例示的」という言葉は、「例、事例、または例示として機能すること」を意味するために使用される。「例示的」として本明細書で説明する任意の実装形態または態様は、必ずしも本開示の他の態様よりも好ましいまたは有利であると解釈されるべきではない。同様に、「態様」という用語は、本開示のすべての態様が説明した特徴、利点または動作モードを含むことを必要としない。「結合された」という用語は、本明細書では、2つの物体間の直接的または間接的な結合を指すために使用される。たとえば、物体Aが物体Bに物理的に接触し、物体Bが物体Cに接触する場合、物体Aおよび物体Cは、互いに物理的に直接接触していない場合でも、それでも互いに結合されていると見なされ得る。たとえば、第1のダイがパッケージ内の第2のダイと決して物理的に直接接触していなくても、第1のダイは第2のダイに結合されている可能性がある。「回路(circuit)」および「回路(circuitry)」という用語は広義に使用され、電子回路のタイプに関しての限定なしに、接続および構成されるときに本開示で説明した機能の実施を可能にする電気デバイスおよび導体のハードウェア実装形態と、プロセッサによって実行されるときに本開示で説明した機能の実施を可能にする情報および命令のソフトウェア実装形態の両方を含むものとする。
【０１３３】
本明細書で使用する「判定する(determining)」という用語は、多種多様なアクションを包含する。たとえば、「判定する」ことは、計算すること、算出すること、処理すること、導出すること、調査すること、ルックアップすること(たとえば、テーブル、データベースまたは別のデータ構造内でルックアップすること)、確認することなどを含み得る。また、「判定する」ことは、受信すること(たとえば、情報を受信すること)、アクセスすること(たとえば、メモリ内のデータにアクセスすること)などを含み得る。また、「判定する」ことは、解決すること、選択すること、選ぶこと、確立することなどを含み得る。
【０１３４】
上記の説明は、いかなる当業者も本明細書で説明する様々な態様を実践できるようにするために提供される。これらの態様に対する様々な修正は、当業者に容易に明らかになり、本明細書で定義する一般原理は、他の態様に適用され得る。したがって、特許請求の範囲は、本明細書に示す態様に限定されるものではなく、特許請求の範囲の文言と一致するすべての範囲を与えられるべきであり、単数形の要素への言及は、そのように明記されていない限り、「唯一無二の」を意味するものではなく、「1つまたは複数の」を意味するものである。別段に明記されていない限り、「いくつかの」という用語は、1つまたは複数を指す。項目のリスト「のうちの少なくとも1つ」または「のうちの1つまたは複数」に言及する句は、単一のメンバーを含むそれらの項目の任意の組合せを指す。一例として、「a、b、またはcのうちの少なくとも1つ」は、a; b; c; aおよびb; aおよびc; bおよびc; a、bおよびc; 2a; 2b; 2c; 2aおよびb; aおよび2b; 2aおよび2bなどを包含するものとする。当業者に知られているか、または後で当業者に知られることになる、本開示全体にわたって説明する様々な態様の要素のすべての構造的および機能的等価物は、参照により本明細書に明確に組み込まれ、特許請求の範囲によって包含されるものとする。さらに、本明細書で開示するものは、そのような開示が特許請求の範囲において明示的に列挙されているかどうかにかかわらず、公に供されるものではない。いかなるクレーム要素も、「のための手段」という句を使用して要素が明確に列挙されていない限り、または方法クレームの場合、「のためのステップ」という句を使用して要素が列挙されていない限り、米国特許法第112条第6項の規定に基づいて解釈されるべきではない。
【０１３５】
したがって、本明細書で説明し、添付の図面に示す例に関連付けられた様々な特徴は、本開示の範囲から逸脱することなく、異なる例および実装形態において実装され得る。したがって、いくつかの特定の構成および配置について説明し、添付の図面に示したが、説明した実装形態への様々な他の追加および修正、ならびに説明した実装形態からの削除が当業者には明らかであるので、そのような実装形態は例示にすぎず、本開示の範囲を限定するものではない。したがって、本開示の範囲は、以下の特許請求の範囲の文言、および法的均等物によってのみ決定される。
【符号の説明】
【０１３６】
100  通信システム
102  基地局
104  第1のデバイス
106  第2のデバイス
108  第1の時間間隔
110  第1のビームフォーミング方向
112  第2の時間間隔
114  第2のビームフォーミング方向
116  ビームフォーミング設定
118  シグナリング図
200  シグナリング図
202  第1のビームフォーミングされた通信期間
204  サイクリックプレフィックス期間
206  第2のビームフォーミングされた通信期間
300  シグナリング図
302  通信時間期間
304  ビームフォーミングされた通信
306  第1のタイプのサイクリックプレフィックス
308  後続のビームフォーミングされた通信
310  第2のタイプのサイクリックプレフィックス
400  シグナリング図
402  送信されたシンボル
404  CP
406  FFTウィンドウ
410  シンボル
412  マルチパス成分
414  マルチパス成分
416  マルチパス成分
418  受信されたウィンドウ
500  シグナリング図
502  送信されたシンボル
504  空のCP期間
506  FFTウィンドウ
510  シンボル
512  マルチパス成分
514  マルチパス成分
516  マルチパス成分
518  受信されたウィンドウ
600  シグナリング図
602  送信されたシンボル
604  空のCP期間
606  FFTウィンドウ
610  シンボル
612  マルチパス成分
614  マルチパス成分
616  マルチパス成分
618  受信されたウィンドウ
700  シグナリング図
702  送信されたシンボル
704  空のCP期間
706  FFTウィンドウ
708  空のCP期間
710  FFTウィンドウ
712  シンボル
714  シンボル
716  CPベースの間隔(ギャップ)
800  シグナリング図
802  送信されたシンボル
804  第1のデバイスからのシンボル
806  第2のデバイスからのシンボル
808  第1のデバイスからのシンボル
810  第2のデバイスからのシンボル
812  CPベースの間隔(ギャップ)
900  システム
902  第1のデバイス
904  第2のデバイス
1000  シグナリング図
1002  通信時間期間
1004  ゼロCP
1006  通常CP
1008  ゼロCP
1100  プロセス
1200  プロセス
1300  装置
1302  通信インターフェース
1304  記憶媒体
1306  ユーザインターフェース
1308  メモリデバイス
1310  処理回路
1312  アンテナ
1314  送信機
1316  受信機
1318  ビームフォーミング情報
1320  送信するための回路/モジュール
1322  ビームフォーミング構成を変更するための回路/モジュール
1324  受信するための回路/モジュール
1326  指定するための回路/モジュール
1328  通信するための回路/モジュール
1330  送信するためのコード
1332  ビームフォーミング構成を変更するためのコード
1334  受信するためのコード
1336  指定するためのコード
1338  通信するためのコード
1400  プロセス
1500  プロセス
1600  プロセス
1700  プロセス
1800  プロセス
1900  プロセス
2000  プロセス
【図１】
2018207538.tif 000003
【図２】
2018207538.tif 000004
【図３】
2018207538.tif 000005
【図４】
2018207538.tif 000006
【図５】
2018207538.tif 000007
【図６】
2018207538.tif 000008
【図７】
2018207538.tif 000009
【図８】
2018207538.tif 000010
【図９】
2018207538.tif 000011
【図１０】
2018207538.tif 000012
【図１１】
2018207538.tif 000013
【図１２】
2018207538.tif 000014
【図１３】
2018207538.tif 000015
【図１４】
2018207538.tif 000016
【図１５】
2018207538.tif 000017
【図１６】
2018207538.tif 000018
【図１７】
2018207538.tif 000019
【図１８】
2018207538.tif 000020
【図１９】
2018207538.tif 000021
【図２０】
2018207538.tif 000022
【外国語明細書】
2018207538000001.pdf